(57)【特許請求の範囲】
【請求項１】
図形を示すシンボルマーク、および文字列を示すタイポグラフィから構成されるロゴデザインを作成するロゴデザイン作成システムであって、
複数の公開されたロゴデザインから、当該ロゴデザインに使用されているシンボルマークの形状の特徴量を抽出する特徴量抽出部と、
複数の公開されたロゴデザインから、当該ロゴデザインに使用されているシンボルマークおよびタイポグラフィの位置関係を示すロゴ配置情報を抽出するロゴ配置情報抽出部と、
前記特徴量抽出部において抽出された特徴量、および前記ロゴ配置情報抽出部において抽出されたロゴ配置情報を、当該公開されたロゴデザインとともに記憶するデータ記憶部と、
公開されたロゴデザインのシンボルマークのうち、新たに作成する新規ロゴデザインのシンボルマークの基礎として採用されるシンボルマークを、参考画像としてユーザから受付ける参考画像受付部と、
前記参考画像の形状の特徴量を用いて、前記データ記憶部に記憶されている公開されたロゴデザインのシンボルマークの特徴量に対して類似度検索を行うことにより、前記参考画像と形状が類似するリメイク参考画像を複数選択するリメイク参考画像選択部と、
前記データ記憶部に記憶されたロゴデザインから、新規ロゴデザインの構図の基礎となる構図参考画像について、ユーザからの入力を受け付ける構図参考画像受付部と、
ユーザから入力された新規タイポグラフィの文字列を用いて、新規タイポグラフィを作成するタイポグラフィ作成部と、
複数の前記リメイク参考画像および前記新規タイポグラフィを、前記構図参考画像受付部に入力されたロゴデザインにおける前記ロゴ配置情報を適用しながら結合することで、新規ロゴデザインを複数作成するロゴデザイン配置部と、を備えるロゴデザイン作成システム。
【請求項２】
前記リメイク参考画像および前記新規ロゴデザインのうち、少なくともいずれか一方に対して、予め記憶された図柄パターンのうちのいずれかを用いて改変を行う形状差し替え部を備えていることを特徴とする請求項１に記載のロゴデザイン作成システム。
【請求項３】
前記ロゴ配置情報抽出部は、画像処理技術を用いて予めシンボルマークとタイポグラフィとが区別されたデータ群を教師データとした機械学習を行うことで、公開されたロゴデザインにおけるシンボルマークとタイポグラフィとを区別し、区別したシンボルマークとタイポグラフィとの位置関係を示すロゴ配置情報を抽出することを特徴とする請求項１又は２に記載のロゴデザイン作成システム。
【請求項４】
前記ロゴ配置情報抽出部は、複数の公開されたロゴデザインから、当該ロゴデザインに使用されているタイポグラフィの文字数、文字種類、および文字フォントを抽出することを特徴とする請求項１から３のいずれか１項に記載のロゴデザイン作成システム。
【請求項５】
前記構図参考画像受付部は、複数の構図参考画像の入力をユーザから受付けることを特徴とする請求項１から４のいずれか１項に記載のロゴデザイン作成システム。
【請求項６】
前記構図参考画像受付部は、ユーザから入力された新規タイポグラフィの文字列を用いて、候補となる構図参考画像を、ユーザに複数提示することを特徴とする請求項１から５のいずれか１項に記載のロゴデザイン作成システム。
【請求項７】
前記タイポグラフィ作成部は、前記ロゴ配置情報抽出部において抽出された文字フォントに対して類似するフォントを使用して、新規ロゴデザインを作成することを特徴とする請求項１から６のいずれか１項に記載のロゴデザイン作成システム。
【請求項８】
前記ロゴデザイン配置部は、前記ロゴ配置情報抽出部において抽出された文字数および文字種類を参照して、前記タイポグラフィの配置を調整することを特徴とする請求項１から７のいずれか１項に記載のロゴデザイン作成システム。
【請求項９】
新規タイポグラフィを構成する文字列の色を示す文字列色情報、および新規ロゴデザインにおけるシンボルマークの色を示すシンボルマーク色情報の入力を受け付ける作成条件受付部を更に備え、
前記タイポグラフィ作成部は、前記文字列色情報を用いて、前記新規タイポグラフィを作成し、
前記ロゴデザイン配置部は、前記シンボルマーク色情報を前記リメイク参考画像に適用して、新規ロゴデザインを作成することを特徴とする請求項１から８のいずれか１項に記載のロゴデザイン作成システム。
【請求項１０】
図形を示すシンボルマーク、および文字列を示すタイポグラフィから構成されるロゴデザインを作成するロゴデザイン作成方法であって、
コンピュータが、
複数の公開されたロゴデザインから、当該ロゴデザインに使用されているシンボルマークの形状の特徴量を抽出する特徴量抽出ステップと、
複数の公開されたロゴデザインから、当該ロゴデザインに使用されているシンボルマークおよびタイポグラフィの位置関係を示すロゴ配置情報を抽出するロゴ配置情報抽出ステップと、
前記特徴量抽出ステップにおいて抽出された特徴量、および前記ロゴ配置情報抽出ステップにおいて抽出されたロゴ配置情報を、当該公開されたロゴデザインとともに記憶する抽出情報記憶ステップと、
公開されたロゴデザインのシンボルマークのうち、新たに作成する新規ロゴデザインのシンボルマークの基礎として採用されるシンボルマークを、参考画像としてユーザから受付ける参考画像受付ステップと、
前記参考画像の形状の特徴量を用いて、前記抽出情報記憶ステップにおいて記憶されている公開されたロゴデザインのシンボルマークの特徴量に対して類似度検索を行うことにより、前記参考画像と形状が類似するリメイク参考画像を複数選択するリメイク参考画像選択ステップと、
前記抽出情報記憶ステップにおいて記憶されたロゴデザインから、新規ロゴデザインの構図の基礎となる構図参考画像について、ユーザからの入力を受け付ける構図参考画像受付ステップと、
ユーザから入力された新規タイポグラフィの文字列を用いて、新規タイポグラフィを作成するタイポグラフィ作成ステップと、
複数の前記リメイク参考画像および前記新規タイポグラフィを、前記構図参考画像受付ステップにおいて入力されたロゴデザインにおける前記ロゴ配置情報を適用しながら結合することで、新規ロゴデザインを複数作成するロゴデザイン配置ステップと、を実行するロゴデザイン作成方法。
【請求項１１】
図形を示すシンボルマーク、および文字列を示すタイポグラフィから構成されるロゴデザインを作成するロゴデザイン作成プログラムであって、
コンピュータに、
複数の公開されたロゴデザインから、当該ロゴデザインに使用されているシンボルマークの形状の特徴量を抽出する特徴量抽出機能と、
複数の公開されたロゴデザインから、当該ロゴデザインに使用されているシンボルマークおよびタイポグラフィの位置関係を示すロゴ配置情報を抽出するロゴ配置情報抽出機能と、
前記特徴量抽出機能により抽出された特徴量、および前記ロゴ配置情報抽出機能により抽出されたロゴ配置情報を、当該公開されたロゴデザインとともに記憶する抽出情報記憶機能と、
公開されたロゴデザインのシンボルマークのうち、新たに作成する新規ロゴデザインのシンボルマークの基礎として採用されるシンボルマークを、参考画像としてユーザから受付ける参考画像受付機能と、
前記参考画像の形状の特徴量を用いて、前記抽出情報記憶機能により記憶されている公開されたロゴデザインのシンボルマークの特徴量に対して類似度検索を行うことにより、前記参考画像と形状が類似するリメイク参考画像を複数選択するリメイク参考画像選択機能と、
前記抽出情報記憶機能により記憶されたロゴデザインから、新規ロゴデザインの構図の基礎となる構図参考画像について、ユーザからの入力を受け付ける構図参考画像受付機能と、
ユーザから入力された新規タイポグラフィの文字列を用いて、新規タイポグラフィを作成するタイポグラフィ作成機能と、
複数の前記リメイク参考画像および前記新規タイポグラフィを、前記構図参考画像受付機能により入力されたロゴデザインにおける前記ロゴ配置情報を適用しながら結合することで、新規ロゴデザインを複数作成するロゴデザイン配置機能と、を実現させるロゴデザイン作成プログラム。
【請求項１２】
図形を示すシンボルマーク、および文字列を示すタイポグラフィから構成されるロゴデザインを作成するロゴデザイン作成システムであって、
複数の公開されたロゴデザインから抽出され、当該ロゴデザインに使用されているシンボルマークの形状の特徴を定量的に示す情報である特徴量、および複数の公開されたロゴデザインから抽出され、当該ロゴデザインに使用されているシンボルマークおよびタイポグラフィの位置関係を定量的に示す情報であるロゴ配置情報を、当該公開されたロゴデザインとともに記憶するデータ記憶部と、
公開されたロゴデザインのシンボルマークのうち、新たに作成する新規ロゴデザインのシンボルマークの基礎として採用されるシンボルマークを、参考画像としてユーザから受付ける参考画像受付部と、
前記参考画像の形状の特徴量を用いて、前記データ記憶部に記憶されている公開されたロゴデザインのシンボルマークの特徴量に対して類似度検索を行うことにより、前記参考画像と形状が類似するリメイク参考画像を複数選択するリメイク参考画像選択部と、
前記データ記憶部に記憶されたロゴデザインから、新規ロゴデザインの構図の基礎となる構図参考画像について、ユーザからの入力を受け付ける構図参考画像受付部と、
ユーザから入力された新規タイポグラフィの文字列を用いて、新規タイポグラフィを作成するタイポグラフィ作成部と、
複数の前記リメイク参考画像および前記新規タイポグラフィを、前記構図参考画像受付部に入力されたロゴデザインにおける前記ロゴ配置情報を適用しながら結合することで、新規ロゴデザインを複数作成するロゴデザイン配置部と、を備えるロゴデザイン作成システム。
【請求項１３】
図形を示すシンボルマーク、および文字列を示すタイポグラフィから構成されるロゴデザインを作成するロゴデザイン作成方法であって、
コンピュータが、
複数の公開されたロゴデザインから抽出され、当該ロゴデザインに使用されているシンボルマークの形状の特徴を定量的に示す情報である特徴量、および複数の公開されたロゴデザインから抽出され、当該ロゴデザインに使用されているシンボルマークおよびタイポグラフィの位置関係を定量的に示す情報であるロゴ配置情報を、当該公開されたロゴデザインとともに記憶する抽出情報記憶ステップと、
公開されたロゴデザインのシンボルマークのうち、新たに作成する新規ロゴデザインのシンボルマークの基礎として採用されるシンボルマークを、参考画像としてユーザから受付ける参考画像受付ステップと、
前記参考画像の形状の特徴量を用いて、前記抽出情報記憶ステップにおいて記憶されている公開されたロゴデザインのシンボルマークの特徴量に対して類似度検索を行うことにより、前記参考画像と形状が類似するリメイク参考画像を複数選択するリメイク参考画像選択ステップと、
前記抽出情報記憶ステップにおいて記憶されたロゴデザインから、新規ロゴデザインの構図の基礎となる構図参考画像について、ユーザからの入力を受け付ける構図参考画像受付ステップと、
ユーザから入力された新規タイポグラフィの文字列を用いて、新規タイポグラフィを作成するタイポグラフィ作成ステップと、
複数の前記リメイク参考画像および前記新規タイポグラフィを、前記構図参考画像受付ステップにおいて入力されたロゴデザインにおける前記ロゴ配置情報を適用しながら結合することで、新規ロゴデザインを複数作成するロゴデザイン配置ステップと、を実行するロゴデザイン作成方法。
【請求項１４】
図形を示すシンボルマーク、および文字列を示すタイポグラフィから構成されるロゴデザインを作成するロゴデザイン作成プログラムであって、
コンピュータに、
複数の公開されたロゴデザインから抽出され、当該ロゴデザインに使用されているシンボルマークの形状の特徴を定量的に示す情報である特徴量、および複数の公開されたロゴデザインから抽出され、当該ロゴデザインに使用されているシンボルマークおよびタイポグラフィの位置関係を定量的に示す情報であるロゴ配置情報を、当該公開されたロゴデザインとともに記憶する抽出情報記憶機能と、
公開されたロゴデザインのシンボルマークのうち、新たに作成する新規ロゴデザインのシンボルマークの基礎として採用されるシンボルマークを、参考画像としてユーザから受付ける参考画像受付機能と、
前記参考画像の形状の特徴量を用いて、前記抽出情報記憶機能により記憶されている公開されたロゴデザインのシンボルマークの特徴量に対して類似度検索を行うことにより、前記参考画像と形状が類似するリメイク参考画像を複数選択するリメイク参考画像選択機能と、
前記抽出情報記憶機能により記憶されたロゴデザインから、新規ロゴデザインの構図の基礎となる構図参考画像について、ユーザからの入力を受け付ける構図参考画像受付機能と、
ユーザから入力された新規タイポグラフィの文字列を用いて、新規タイポグラフィを作成するタイポグラフィ作成機能と、
複数の前記リメイク参考画像および前記新規タイポグラフィを、前記構図参考画像受付機能により入力されたロゴデザインにおける前記ロゴ配置情報を適用しながら結合することで、新規ロゴデザインを複数作成するロゴデザイン配置機能と、を実現させるロゴデザイン作成プログラム。
【発明の詳細な説明】
【技術分野】
【０００１】
本発明は、ロゴデザイン作成システム、ロゴデザイン作成方法、およびロゴデザイン作成プログラムに関する。
【背景技術】
【０００２】
従来、コンピュータを用いて、ロゴデザインを自動で作成するシステムが知られている。
このようなシステムとして、下記特許文献１には、ロゴデザインのテーマと書体をユーザに選択させ、選択されたテーマによりフレームを決定するとともに、ユーザから入力された文字を選択された書体に変更することで、ロゴデザインの作成を行う構成が開示されている。
【先行技術文献】
【特許文献】
【０００３】
【特許文献１】特開２０１５−２０３９７３号公報
【発明の概要】
【発明が解決しようとする課題】
【０００４】
しかしながら上記従来のロゴデザイン作成システムでは、文字の入力とテーマおよび書体の選択という一連の操作に対して、一つのロゴデザインを作成するシステムとなっており、大量のロゴデザインを一度に作成するという点に改善の余地があった。【０００５】
そこで本発明は、一度に大量のロゴデザインを作成することができるロゴデザイン作成システムを提供することを目的とする。
【課題を解決するための手段】
【０００６】
上記課題を解決するために、本発明に係るロゴデザイン作成システムは、図形を示すシンボルマーク、および文字列を示すタイポグラフィから構成されるロゴデザインを作成するロゴデザイン作成システムであって、複数の公開されたロゴデザインから、当該ロゴデザインに使用されているシンボルマークの形状の特徴量を抽出する特徴量抽出部と、複数の公開されたロゴデザインから、当該ロゴデザインに使用されているシンボルマークおよびタイポグラフィの位置関係を示すロゴ配置情報を抽出するロゴ配置情報抽出部と、特徴量抽出部において抽出された特徴量、およびロゴ配置情報抽出部において抽出されたロゴ配置情報を、当該公開されたロゴデザインとともに記憶するデータ記憶部と、公開されたロゴデザインのシンボルマークのうち、新たに作成する新規ロゴデザインのシンボルマークの基礎として採用されるシンボルマークを、参考画像としてユーザから受付ける参考画像受付部と、参考画像の形状の特徴量を用いて、データ記憶部に記憶されている公開されたロゴデザインのシンボルマークの特徴量に対して類似度検索を行うことにより、参考画像と形状が類似するリメイク参考画像を複数選択するリメイク参考画像選択部と、データ記憶部に記憶されたロゴデザインから、新規ロゴデザインの構図の基礎となる構図参考画像について、ユーザからの入力を受け付ける構図参考画像受付部と、ユーザから入力された新規タイポグラフィの文字列を用いて、新規タイポグラフィを作成するタイポグラフィ作成部と、複数のリメイク参考画像および新規タイポグラフィを、構図参考画像受付部に入力されたロゴデザインにおけるロゴ配置情報を適用しながら結合することで、新規ロゴデザインを複数作成するロゴデザイン配置部と、を備える。【０００７】
また、リメイク参考画像および新規ロゴデザインのうち、少なくともいずれか一方に対して、予め記憶された図柄パターンのうちのいずれかを用いて改変を行う形状差し替え部を備えてもよい。【０００８】
また、ロゴ配置情報抽出部は、画像処理技術を用いて予めシンボルマークとタイポグラフィとが区別されたデータ群を教師データとした機械学習を行うことで、公開されたロゴデザインにおけるシンボルマークとタイポグラフィとを区別し、区別したシンボルマークとタイポグラフィとの位置関係を示すロゴ配置情報を抽出してもよい。【０００９】
また、ロゴ配置情報抽出部は、複数の公開されたロゴデザインから、当該ロゴデザインに使用されているタイポグラフィの文字数、文字種類、および文字フォントを抽出してもよい。【００１０】
また、構図参考画像受付部は、複数の構図参考画像の入力をユーザから受付けてもよい。【００１１】
また、構図参考画像受付部は、ユーザから入力された新規タイポグラフィの文字列を用いて、候補となる構図参考画像を、ユーザに複数提示してもよい。【００１２】
また、タイポグラフィ作成部は、ロゴ配置情報抽出部において抽出された文字フォントに対して類似するフォントを使用して、新規ロゴデザインを作成してもよい。【００１３】
また、ロゴデザイン配置部は、ロゴ配置情報抽出部において抽出された文字数および文字種類を参照して、タイポグラフィの配置を調整してもよい。【００１４】
また、新規タイポグラフィを構成する文字列の色を示す文字列色情報、および新規ロゴデザインにおけるシンボルマークの色を示すシンボルマーク色情報の入力を受け付ける作成条件受付部を更に備え、タイポグラフィ作成部は、文字列色情報を用いて、新規タイポグラフィを作成し、ロゴデザイン配置部は、シンボルマーク色情報をリメイク参考画像に適用して、新規ロゴデザインを作成してもよい。【００１５】
また、本発明のロゴデザイン作成方法は、図形を示すシンボルマーク、および文字列を示すタイポグラフィから構成されるロゴデザインを作成するロゴデザイン作成方法であって、コンピュータが、複数の公開されたロゴデザインから、当該ロゴデザインに使用されているシンボルマークの形状の特徴量を抽出する特徴量抽出ステップと、複数の公開されたロゴデザインから、当該ロゴデザインに使用されているシンボルマークおよびタイポグラフィの位置関係を示すロゴ配置情報を抽出するロゴ配置情報抽出ステップと、特徴量抽出ステップにおいて抽出された特徴量、およびロゴ配置情報抽出ステップにおいて抽出されたロゴ配置情報を、当該公開されたロゴデザインとともに記憶する抽出情報記憶ステップと、公開されたロゴデザインのシンボルマークのうち、新たに作成する新規ロゴデザインのシンボルマークの基礎として採用されるシンボルマークを、参考画像としてユーザから受付ける参考画像受付ステップと、参考画像の形状の特徴量を用いて、抽出情報記憶ステップにおいて記憶されている公開されたロゴデザインのシンボルマークの特徴量に対して類似度検索を行うことにより、参考画像と形状が類似するリメイク参考画像を複数選択するリメイク参考画像選択ステップと、抽出情報記憶ステップにおいて記憶されたロゴデザインから、新規ロゴデザインの構図の基礎となる構図参考画像について、ユーザからの入力を受け付ける構図参考画像受付ステップと、ユーザから入力された新規タイポグラフィの文字列を用いて、新規タイポグラフィを作成するタイポグラフィ作成ステップと、複数のリメイク参考画像および新規タイポグラフィを、構図参考画像受付ステップにおいて入力されたロゴデザインにおけるロゴ配置情報を適用しながら結合することで、新規ロゴデザインを複数作成するロゴデザイン配置ステップと、を実行する。【００１６】
また、本発明のロゴデザイン作成プログラムは、図形を示すシンボルマーク、および文字列を示すタイポグラフィから構成されるロゴデザインを作成するロゴデザイン作成プログラムであって、コンピュータに、複数の公開されたロゴデザインから、当該ロゴデザインに使用されているシンボルマークの形状の特徴量を抽出する特徴量抽出機能と、複数の公開されたロゴデザインから、当該ロゴデザインに使用されているシンボルマークおよびタイポグラフィの位置関係を示すロゴ配置情報を抽出するロゴ配置情報抽出機能と、特徴量抽出機能により抽出された特徴量、およびロゴ配置情報抽出機能により抽出されたロゴ配置情報を、当該公開されたロゴデザインとともに記憶する抽出情報記憶機能と、公開されたロゴデザインのシンボルマークのうち、新たに作成する新規ロゴデザインのシンボルマークの基礎として採用されるシンボルマークを、参考画像としてユーザから受付ける参考画像受付機能と、参考画像の形状の特徴量を用いて、抽出情報記憶機能により記憶されている公開されたロゴデザインのシンボルマークの特徴量に対して類似度検索を行うことにより、参考画像と形状が類似するリメイク参考画像を複数選択するリメイク参考画像選択機能と、抽出情報記憶機能により記憶されたロゴデザインから、新規ロゴデザインの構図の基礎となる構図参考画像について、ユーザからの入力を受け付ける構図参考画像受付機能と、ユーザから入力された新規タイポグラフィの文字列を用いて、新規タイポグラフィを作成するタイポグラフィ作成機能と、複数のリメイク参考画像および新規タイポグラフィを、構図参考画像受付機能により入力されたロゴデザインにおけるロゴ配置情報を適用しながら結合することで、新規ロゴデザインを複数作成するロゴデザイン配置機能と、を実現させる。【００１７】
また、本発明のロゴデザイン作成システムは、図形を示すシンボルマーク、および文字列を示すタイポグラフィから構成されるロゴデザインを作成するロゴデザイン作成システムであって、複数の公開されたロゴデザインから抽出され、当該ロゴデザインに使用されているシンボルマークの形状の特徴を定量的に示す情報である特徴量、および複数の公開されたロゴデザインから抽出され、当該ロゴデザインに使用されているシンボルマークおよびタイポグラフィの位置関係を定量的に示す情報であるロゴ配置情報を、当該公開されたロゴデザインとともに記憶するデータ記憶部と、公開されたロゴデザインのシンボルマークのうち、新たに作成する新規ロゴデザインのシンボルマークの基礎として採用されるシンボルマークを、参考画像としてユーザから受付ける参考画像受付部と、参考画像の形状の特徴量を用いて、データ記憶部に記憶されている公開されたロゴデザインのシンボルマークの特徴量に対して類似度検索を行うことにより、参考画像と形状が類似するリメイク参考画像を複数選択するリメイク参考画像選択部と、データ記憶部に記憶されたロゴデザインから、新規ロゴデザインの構図の基礎となる構図参考画像について、ユーザからの入力を受け付ける構図参考画像受付部と、ユーザから入力された新規タイポグラフィの文字列を用いて、新規タイポグラフィを作成するタイポグラフィ作成部と、複数のリメイク参考画像および新規タイポグラフィを、構図参考画像受付部に入力されたロゴデザインにおけるロゴ配置情報を適用しながら結合することで、新規ロゴデザインを複数作成するロゴデザイン配置部と、を備えるロゴデザイン作成システム。【００１８】
また、本発明のロゴデザイン作成方法は、図形を示すシンボルマーク、および文字列を示すタイポグラフィから構成されるロゴデザインを作成するロゴデザイン作成方法であって、コンピュータが、複数の公開されたロゴデザインから抽出され、当該ロゴデザインに使用されているシンボルマークの形状の特徴を定量的に示す情報である特徴量、および複数の公開されたロゴデザインから抽出され、当該ロゴデザインに使用されているシンボルマークおよびタイポグラフィの位置関係を定量的に示す情報であるロゴ配置情報を、当該公開されたロゴデザインとともに記憶する抽出情報記憶ステップと、公開されたロゴデザインのシンボルマークのうち、新たに作成する新規ロゴデザインのシンボルマークの基礎として採用されるシンボルマークを、参考画像としてユーザから受付ける参考画像受付ステップと、参考画像の形状の特徴量を用いて、抽出情報記憶ステップにおいて記憶されている公開されたロゴデザインのシンボルマークの特徴量に対して類似度検索を行うことにより、参考画像と形状が類似するリメイク参考画像を複数選択するリメイク参考画像選択ステップと、抽出情報記憶ステップにおいて記憶されたロゴデザインから、新規ロゴデザインの構図の基礎となる構図参考画像について、ユーザからの入力を受け付ける構図参考画像受付ステップと、ユーザから入力された新規タイポグラフィの文字列を用いて、新規タイポグラフィを作成するタイポグラフィ作成ステップと、複数のリメイク参考画像および新規タイポグラフィを、構図参考画像受付ステップにおいて入力されたロゴデザインにおけるロゴ配置情報を適用しながら結合することで、新規ロゴデザインを複数作成するロゴデザイン配置ステップと、を実行する。【００１９】
また、本発明のロゴデザイン作成プログラムは、図形を示すシンボルマーク、および文字列を示すタイポグラフィから構成されるロゴデザインを作成するロゴデザイン作成方法であって、コンピュータに、複数の公開されたロゴデザインから抽出され、当該ロゴデザインに使用されているシンボルマークの形状の特徴を定量的に示す情報である特徴量、および複数の公開されたロゴデザインから抽出され、当該ロゴデザインに使用されているシンボルマークおよびタイポグラフィの位置関係を定量的に示す情報であるロゴ配置情報を、当該公開されたロゴデザインとともに記憶する抽出情報記憶機能と、公開されたロゴデザインのシンボルマークのうち、新たに作成する新規ロゴデザインのシンボルマークの基礎として採用されるシンボルマークを、参考画像としてユーザから受付ける参考画像受付機能と、参考画像の形状の特徴量を用いて、抽出情報記憶機能により記憶されている公開されたロゴデザインのシンボルマークの特徴量に対して類似度検索を行うことにより、参考画像と形状が類似するリメイク参考画像を複数選択するリメイク参考画像選択機能と、抽出情報記憶機能により記憶されたロゴデザインから、新規ロゴデザインの構図の基礎となる構図参考画像について、ユーザからの入力を受け付ける構図参考画像受付機能と、ユーザから入力された新規タイポグラフィの文字列を用いて、新規タイポグラフィを作成するタイポグラフィ作成機能と、複数のリメイク参考画像および新規タイポグラフィを、構図参考画像受付機能により入力されたロゴデザインにおけるロゴ配置情報を適用しながら結合することで、新規ロゴデザインを複数作成するロゴデザイン配置機能と、を実現させる。
【発明の効果】
【００２０】
本発明のロゴデザイン作成システムでは、リメイク参考画像選択部が選択した複数のリメイク参考画像と、タイポグラフィ作成部が作成したタイポグラフィと、を用いて、ロゴデザイン配置部が、新規ロゴデザインを作成する。このため、公開されたロゴデザインから、容易に新規ロゴデザインを作成することができる。【００２１】
また、リメイク参考画像選択部が、新たなロゴデザインのシンボルマークの基礎となる参考画像に対して、類似度検索を行って、参考画像と類似するシンボルマークをリメイク参考画像として複数選択する。このため、参考画像を選択した数量に対して、リメイク参考画像の数量を大幅に増やすことが可能になり、結果的に作成されるロゴの数を増えることとなる、このようにして、一度に大量のロゴデザインを作成することができる。
【図面の簡単な説明】
【００２２】
【図１】本発明の一実施形態に係るロゴデザイン作成システムの構成例を示す模式図である。
【図２】ロゴデザイン作成システムの構成例を示すブロック図である。
【図３】ロゴデザインにおけるシンボルマークとタイポグラフィの配置関係を説明する図である。
【図４】ロゴデザイン作成システムの処理フローの前半を示す図である。
【図５】ロゴデザイン作成システムの処理フローの後半を示す図である。
【図６】ロゴデザイン作成システムにおける操作画面の第１例を説明する図である。
【図７】ロゴデザイン作成システムにおける操作画面の第２例を説明する図である。
【図８】ロゴデザイン作成システムにおける操作画面の第３例を説明する図である。
【図９】ロゴデザイン作成システムにおける操作画面の第４例を説明する図である。
【図１０】ロゴデザイン作成システムにおける操作画面の第５例を説明する図である。
【図１１】ロゴデザイン作成システムにおける操作画面の第６例を説明する図である。
【発明を実施するための形態】
【００２３】
本発明の一実施形態に係るロゴデザイン作成システム１００について、図面を参照しながら説明する。
図１は、本発明の一実施形態に係るロゴデザイン作成システム１００の構成例を示す模式図である。
【００２４】
図１に示すロゴデザイン作成システム１００は、ユーザ１０が新たなロゴデザイン（以下、新規ロゴデザインという）を作成する際に用いられるシステムであり、一度に大量の新規ロゴデザインをユーザ１０に提供するシステムである。なお、この説明において、ロゴデザインとは、図形を示すシンボルマーク、および文字列を示すタイポグラフィから構成される標章を指している。
【００２５】
ここで、ロゴデザイン作成システム１００を使用するユーザ１０としては、自身が使用するロゴデザインを作成するものであってもよいし、依頼者からの依頼に基づいて、採用されるロゴデザインの候補を複数作成して、依頼者に提案するデザイナー等であってもよい。
【００２６】
図１に示すように、ロゴデザイン作成システム１００は、ネットワーク５０を介して接続されたユーザ端末２０により操作される。図示の例では、ネットワーク５０に、ユーザ１０の携帯端末４が接続されている。携帯端末４は、ネットワーク５０に無線通信により接続されている。なお、ロゴデザイン作成システム１００は、携帯端末やタブレット端末により操作されてもよい。
【００２７】
図１に示すように、ネットワーク５０は、ユーザ１０が操作するユーザ端末２０と、ロゴデザイン作成システム１００と、を接続する電気通信網であり、例えば、無線ネットワークや有線ネットワークである。
具体的には、ネットワーク５０は、ワイヤレスＬＡＮ（ｗｉｒｅｌｅｓｓ  ＬＡＮ：ＷＬＡＮ）や広域ネットワーク（ｗｉｄｅ  ａｒｅａ  ｎｅｔｗｏｒｋ：ＷＡＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、無線ＬＡＮｓ、ＬＴＥ（ｌｏｎｇ  ｔｅｒｍ  ｅｖｏｌｕｔｉｏｎ）、ＬＴＥ−Ａｄｖａｎｃｅｄ、第４世代（４Ｇ）、第５世代（５Ｇ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）、イーサネット（登録商標）などである。
【００２８】
また、ネットワーク５０は、これらの例に限られず、例えば、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）やブルートゥース（Ｂｌｕｅｔｏｏｔｈ（登録商標））、ブルートゥースローエナジー（Ｂｌｕｅｔｏｏｔｈ  Ｌｏｗ  Ｅｎｅｒｇｙ）、光回線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線、衛星通信網などであってもよく、どのようなネットワークであってもよい。
【００２９】
また、ネットワーク５０は、例えば、ＮＢ−ＩｏＴ（Ｎａｒｒｏｗ  Ｂａｎｄ  ＩｏＴ）や、ｅＭＴＣ（ｅｎｈａｎｃｅｄ  Ｍａｃｈｉｎｅ  Ｔｙｐｅ  Ｃｏｍｍｕｎｉｃａｔｉｏｎ）であってもよい。なお、ＮＢ−ＩｏＴやｅＭＴＣは、ＩｏＴ向けの無線通信方式であり、低コスト、低消費電力で長距離通信が可能なネットワークである。
【００３０】
また、ネットワーク５０は、これらの組み合わせであってもよい。また、ネットワーク５０は、これらの例を組み合わせた複数の異なるネットワークを含むものであってもよい。
例えば、ネットワーク５０は、ＬＴＥによる無線ネットワークと、閉域網であるイントラネットなどの有線ネットワークと、を含むものであってもよい。
【００３１】
図２に示すように、ロゴデザイン作成システム１００は、データ通信部１１０と、データ記憶部１２０と、データ取得部１３０と、データ作成部１４０と、を備えている。
データ通信部１１０は、ネットワーク５０を介して、各種のデータを送受信する通信インターフェースである。データ通信部１１０が受信する各種のデータとして、ロゴデザイン情報や作成条件が含まれる。これらの各データの詳細については後述する。
また、データ通信部１１０は、データ作成部１４０が作成した新規ロゴデザインを操作端末に出力する送信部としても機能する。
【００３２】
データ記憶部１２０は、ロゴデザイン作成システム１００の各機能部が動作するうえで必要となる各種の制御プログラムや、データ通信部１１０が外部から受信した各種のデータや、データ作成部１４０が作成した新規ロゴデザインに関するデータを記憶する。
データ記憶部１２０は、例えば、ＨＤＤ、ＳＳＤ、フラッシュメモリなど各種の記憶媒体により実現される。
【００３３】
データ記憶部１２０に記憶された制御プログラムを実行することで、各機能部が、ロゴデザイン作成システム１００として実現すべき各機能を実現する。ここでいう各機能とは、特徴量抽出機能、ロゴ配置情報抽出機能、抽出情報記憶機能、参考画像受付機能、リメイク参考画像選択機能、構図参考画像選択機能、タイポグラフィ作成機能、ロゴデザイン配置機能、形状差し替え機能、作成条件受付機能を含んでいる。
【００３４】
データ取得部１３０は、例えばデータ記憶部１２０に記憶された制御プログラムを実行するコンピュータであり、例えば、中央処理装置（ＣＰＵ）やマイクロプロセッサ、ＡＳＩＣ、ＦＰＧＡなどであってもよい。
なお、データ取得部１３０は、これらの例に限られず、制御プログラムを実行するコンピュータであれば、どのようなものであってもよい。
【００３５】
データ取得部１３０は、外部から、新規ロゴデザインの作成に必要な情報を外部から取得する複数の機能部により構成されている。データ取得部１３０は、作成条件受付部１３１、特徴量抽出部１３２、およびロゴ配置情報抽出部１３３を備えている。
【００３６】
作成条件受付部１３１は、ユーザ１０から、新規タイポグラフィの文字列、文字列色情報、およびシンボルマーク色情報の入力を受け付ける。
ここで、新規タイポグラフィの文字列とは、ロゴデザイン作成システム１００が作成する新規ロゴデザインにおけるタイポグラフィ（新規タイポグラフィ）を構成する文字の内容を指す。
【００３７】
文字列色情報とは、当該文字列の色を示す情報である。色を示す情報としては、単色であってもよいし、複数色であってもよい。また、タイポグラフィを構成する文字に、グラディエーション等の特殊な彩色がされている場合には、そのような処理の内容を情報として取得してもよい。
【００３８】
また、シンボルマーク色情報とは、ロゴデザイン作成システム１００が作成する新規ロゴデザインにおけるシンボルマーク（以下、新規シンボルマークという）の色を示す情報である。シンボルマーク色情報とは、当該シンボルマークの色を示す情報である。色を示す情報としては、単色であってもよいし、複数色であってもよい。また、シンボルマークにグラディエーション等の特殊な彩色がされている場合には、そのような処理の内容を情報として取得してもよい。
【００３９】
特徴量抽出部１３２は、複数の公開されたロゴデザインから、当該ロゴデザインに使用されているシンボルマークの形状の特徴量を抽出する。
ここで、形状の特徴量とは、図形により表現されるシンボルマークの幾何的特徴を定量的に評価した値を指す。特徴量は、シンボルマークに対して画像認識処理を行い、認識されたデータを、例えば４０９６次元のような多次元のベクトル座標によって表現した値である。なお、形状の特徴量として表現されるベクトル座標の次元数は任意に変更することができる。
【００４０】
ロゴ配置情報抽出部１３３は、複数の公開されたロゴデザインから、当該ロゴデザインに使用されているシンボルマークおよびタイポグラフィの位置関係を示すロゴ配置情報を抽出する。この点について、図３を用いて詳述する。図３は、ロゴデザインにおけるシンボルマークとタイポグラフィの配置関係を説明する図である。
【００４１】
図３に示すように、公開されたロゴデザイン情報には、シンボルマークの領域Ａと、タイポグラフィの領域Ｂとが存在する。そして、それぞれの位置関係は、例えば、それぞれの領域における左上の位置座標Ｃ（０,０）を原点とした場合における位置座標Ｄ（Ｘ,Ｙ）を把握することで認識することができる。原点の位置は任意に変更することができる。
また、それぞれの領域の上下および左右の大きさを把握することで、各領域のサイズを認識することができる。なお、シンボルマークの領域Ａと、タイポグラフィの領域Ｂは、互いに重複していてもよい。
【００４２】
そして、ロゴ配置情報とは、ロゴデザインに使用されているタイポグラフィの文字列、文字数、文字サイズ、文字種類、文字フォント、シンボルマークの大きさ、およびタイポグラフィとシンボルマークの位置関係を示す情報を含んでいる。ここで、文字列とは文字の内容を指し、文字種類は大文字や小文字の別を指す。
【００４３】
ロゴ配置情報抽出部１３３は、例えば、画像処理技術を用いて予めシンボルマークとタイポグラフィとが区別されたデータ群を教師データとした機械学習を行う。
これにより、ロゴ配置情報抽出部１３３は、公開されたロゴデザインにおけるシンボルマークとタイポグラフィとを区別し、区別したシンボルマークとタイポグラフィとの位置関係を示すロゴ配置情報を抽出する。
なお、ロゴ配置情報抽出部１３３は、画像処理におけるその他の処理を行って、ロゴ配置情報を抽出してもよい。
【００４４】
そして、特徴量抽出部１３２において抽出された特徴量、およびロゴ配置情報抽出部１３３において抽出されたロゴ配置情報は、当該公開されたロゴデザインとともにデータ記憶部１２０に記憶される。
すなわち、データ記憶部１２０に記憶された公開されたロゴデザインは、シンボルマークの形状の特徴量、およびタイポグラフィの文字列、文字数、文字サイズ、文字種類、文字フォント、シンボルマークの大きさ、およびタイポグラフィとシンボルマークの位置関係を示す情報と紐づけられた状態となっている。
【００４５】
また、公開されたロゴデザインは、前述したデータの他に、当該ロゴデザインが使用されていた業界や企業名を示すカテゴリ情報、ロゴデザイン自体のイメージを示すパラメータ情報、ロゴデザインがアルファベットを模したものである場合に当該アルファベットを示すアルファベット情報のような、ロゴデザインを説明する情報を、例えばテキストデータとして有していることがある。
このような場合には、これらのロゴデザインに関する情報として、これらのロゴデザインを説明する情報も、データ記憶部に記憶される。なお、ロゴデザインを説明する情報は、ロゴデザインをデータ記憶部１２０に記憶させる際に、新たに入力して記憶させてもよい。
【００４６】
図２に示すように、データ作成部１４０は、データ記憶部１２０に記憶された各情報を用いて、新規ロゴデザインを作成する機能部を複数備えている。
データ作成部１４０は、参考画像受付部１４１、リメイク参考画像選択部１４２、構図参考画像受付部１４３、タイポグラフィ作成部１４４、ロゴデザイン配置部１４５、形状差し替え部１４６を備えている。
【００４７】
参考画像受付部１４１は、ユーザ１０から参考画像を受け付ける。参考画像とは、公開されたロゴデザインのシンボルマークのうち、新たに作成する新規ロゴデザインのシンボルマークの基礎として採用されるシンボルマークを示す画像を指している。すなわち、参考画像にはシンボルマークが含まれ、タイポグラフィは含まれない。
ここで、基礎として採用されるとは、シンボルマークの形状の概容が、新たに作成したいと考えている新規ロゴデザインのシンボルマークのイメージと合致しているために、素材として用いられるという意味である。
【００４８】
リメイク参考画像選択部１４２は、参考画像に基づいて選択されるリメイク参考画像を複数選択する。ここで、リメイク参考画像とは、参考画像と形状が類似するシンボルマークを示す画像である。すなわち、リメイク参考画像にはシンボルマークが含まれ、タイポグラフィは含まれない。そして、リメイク参考画像は、新規ロゴデザインを作成する上で参照されるシンボルマークの画像を指す。
【００４９】
参考画像とリメイク参考画像とのシンボルマークの類似度については、形状の特徴量を用いて評価される。すなわち、データ記憶部１２０に記憶されている公開されたロゴデザインのシンボルマークの特徴量に対して類似度検索を行うことにより、参考画像と類似するリメイク参考画像が複数選択される。
【００５０】
類似度検索の一例を説明する。まず、リメイク参考画像選択部１４２が、参考画像のシンボルマークの特徴量Ｅを参照する。次に、データ記憶部１２０に記憶された公開されたロゴデザインのシンボルマークの特徴量と比較する。そして、特徴量Ｅに対して、所定の閾値の範囲内にあるシンボルマークを、参考画像と類似するリメイク参考画像として選択する。
【００５１】
参考画像が仮に複数選択されている場合には、それぞれの参考画像に対して、同様の類似度検索を行う。すなわち、類似度検索とは例えば、既知の特徴量に対して、所定の閾値の範囲内にあるシンボルマークを検索することである。類似度検索は他の手法により行ってもよい。
このように、参考画像と類似するリメイク参考画像を複数選択することで、新規ロゴデザインのバリエーションを豊富にすることができる。
【００５２】
構図参考画像受付部１４３は、ユーザ１０から構図参考画像の入力を受け付ける。ここで、構図参考画像とは、新規ロゴデザインのシンボルマークおよびタイポグラフィの構図の基礎として、ロゴ配置情報を参照するロゴデザインを示す画像である。すなわち、構図参考画像には、シンボルマークとタイポグラフィが含まれている。
構図参考画像の入力は、ユーザ１０に対して複数の構図参考画像を表示し、ユーザ１０が選択する方法により行うことができる。
【００５３】
構図参考画像受付部１４３は、複数の構図参考画像の入力をユーザ１０から受付ける。構図参考画像受付部１４３は、ユーザ１０から入力された新規タイポグラフィの文字列を用いて、候補となる構図参考画像を、ユーザ１０に複数提示する。
すなわち、ユーザ１０が新たに入力したタイポグラフィの文字列を参照し、データ記憶部１２０に記憶されたロゴデザインのうち、文数列が類似するタイポグィを含むロゴデザインを、構図参考画像の候補としてユーザ１０に提示する。
【００５４】
タイポグラフィ作成部１４４は、新規タイポグラフィを作成する。この際、タイポグラフィ作成部１４４は、ユーザ１０から入力された新規タイポグラフィの文字列、および文字列色情報を用いて、新規タイポグラフィを作成する。
また、タイポグラフィ作成部１４４は、選択された構図参考画像に対して、ロゴ配置情報抽出部１３３が抽出した文字フォントに類似するフォントを使用して、新規ロゴデザインを作成する。
【００５５】
ロゴデザイン配置部１４５は、複数のリメイク参考画像および新規タイポグラフィを、構図参考画像受付部１４３に入力された構図参考画像のロゴデザインにおけるロゴ配置情報を適用しながら結合する。これにより、ロゴデザイン配置部１４５は、新規ロゴデザインを複数作成する。
ロゴデザイン配置部１４５は、ロゴ配置情報抽出部１３３において抽出された文字数および文字種類を参照して、タイポグラフィの配置を調整する。
【００５６】
ロゴデザイン配置部１４５は、シンボルマーク色情報をリメイク参考画像に適用して、新規ロゴデザインを作成する。すなわち、シンボルマーク色情報がユーザ１０から入力されている場合は、リメイク参考画像のシンボルマークに対して、当該色を適用する。仮に、シンボルマーク色情報がユーザ１０から入力されていない場合には、リメイク参考画像のシンボルマークの色を変更せずに、リメイク参考画像のシンボルマークをそのまま使用する。
【００５７】
形状差し替え部１４６は、リメイク参考画像および新規ロゴデザインのうち、少なくともいずれか一方に対して、予め記憶された図柄パターンのうちのいずれかを用いて改変を行う。すなわち、データ記憶部１２０は、図柄パターンを複数記憶している。
この図柄パターンのうち、使用する図柄パターンをユーザ１０が選択すると、例えば新規ロゴデザインのうちの一部の形状と図柄パターンの形状を差し替える。また、新規ロゴデザインの一部を差し替えることなく、図柄パターンをそのまま追加してもよい。
なお、形状差し替え部１４６は、新規ロゴデザインではなく、リメイク参考画像に対して、図柄パターンによる改変をおこなってもよい。
【００５８】
次に、図４および図５を用いて、ロゴデザイン作成システム１００による処理の内容について説明する。図４は、ロゴデザイン作成システム１００における処理フローの前半を示す図である。図５は、ロゴデザイン作成システム１００における処理フローの後半を示す図である。また、それぞれの処理における操作画面として、図６から図１１を適宜説明する。
【００５９】
図４に示すように、まず、データ取得部１３０が、公開されたロゴデザインのデータにアクセスする（Ｓ１０）。世間に公開されているロゴデザインのうち、数多くのロゴデザインは、ネットワークを介して接続された通信環境内にアクセス可能な状態で公開されている。これらの公開されたロゴデザインにアクセスし、それらのデータを取得する。
【００６０】
次に、特徴量抽出部１３２が、公開されたロゴデザインにおけるシンボルマークの特徴量を抽出する（Ｓ１１：特徴量抽出ステップ）。
この際、特徴量抽出部１３２は、シンボルマークに対して画像認識処理を行い、認識されたデータを、４０９６次元の多次元のベクトル座標によって表現する。このベクトル座標がシンボルマークの形状の特徴量となる。取得された特徴量は、ロゴデザインと関連付けて、データ記憶部１２０に記憶される（抽出情報記憶ステップ）。
【００６１】
次に、ロゴ配置情報抽出部１３３が、公開されたロゴデザインにおけるロゴ配置情報を取得する（Ｓ１２：ロゴ配置情報取得ステップ）。この際、ロゴ配置情報抽出部１３３は、ロゴデザインに使用されているタイポグラフィの文字列、文字数、文字サイズ、文字種類、文字フォント、シンボルマークの大きさ、およびタイポグラフィとシンボルマークの位置関係を示す情報を取得する。取得されたロゴ配置情報は、ロゴデザインと関連付けて、データ記憶部１２０に記憶される（抽出情報記憶ステップ）。
【００６２】
次に、ユーザ１０が、新規ロゴデザインの作成条件を入力する（Ｓ１３：作成条件入力ステップ）。この際、図６に示すように、ユーザ１０は、新規タイポグラフィの文字列、文字の大きさ、フォント等の各属性を入力する。図６は、本システムにおける操作画面の第１例であって、新規ロゴデザインの作成条件を入力する操作を行う画面である。
【００６３】
図６に示すように、タイポグラフィを入力する欄は上下に２行設けられている。タイポグラフィを２行作成する場合には、上下の入力欄にそれぞれ入力し、上欄に入力した文字列と下欄に入力した文字列とのうち、どちらをメインにするかサブにするかを選択する。
ここで、メインにするとは、例えば文字の大きさをサブよりも大きくして、際立たせることを意味している。タイポグラフィを１行作成する場合には、下欄には文字列を入力せずに、無効の欄にチェックを入れる。
【００６４】
次に、図４に示すように、ユーザ１０から、参考画像の入力を受け付ける（Ｓ１４：参考画像受付ステップ）。この際、図７に示すように、複数の公開されたロゴデザインにおけるシンボルマークが、参考画像の候補として表示されている。図７は、本システムにおける操作画面の第２例であって、参考画像を選択して入力する操作を行う画面である。
【００６５】
図７に示すように、この操作画面の左側には、ユーザ１０が参考画像として所望するロゴデザインを、データ記憶部１２０から検索することができる検索部が設けられている。
類似画像検索では、ユーザ１０が、任意の画像データを添付することで、当該画像データと類似するロゴデザインを、データ記憶部１２０から検索する。ここで用いられる任意の画像データとしては、ロゴデザインに関するデータであってもよいし、例えば風景や動物を撮影した画像データのようなものであってもよい。
【００６６】
また、ロゴデザインとともにデータ記憶部１２０に記憶されたロゴデザインを説明する情報を用いて、データ記憶部１２０から所望するロゴデザインを検索することもできる。
カテゴリ検索では、ロゴデザインのカテゴリ情報に基づいて、業界や企業名により検索することができる。アルファベット選択では、任意のアルファベットを入力することで、アルファベットを模したロゴデザインを検索することができる。キーワード検索では、その他のテキスト情報に記載された内容により、ロゴデザインを検索することができる。
【００６７】
また、ロゴデザイン自体のイメージを示すパラメータ情報により、データ記憶部１２０から所望するロゴデザインを検索することもできる。パラメータ選択として、所望するパラメータ（イメージ）を選択することにより、該当するパラメータが付されたロゴデザインを記憶部１２０から検索することができる。
【００６８】
次に、図４に示すように、リメイク参考画像選択部１４２が、リメイク参考画像を複数選択する（Ｓ１５：リメイク参考画像選択ステップ）。リメイク参考画像選択部１４２は、シンボルマークの形状の類似度を評価して、参考画像として選択されたシンボルマークと類似するシンボルマークをデータ記憶部１２０から複数選択する。
この際、いくつのリメイク参考画像を選択するかは、任意に設定することができる。また、類似度の評価において、類似していると設定する範囲についても、任意に設定することができる。
【００６９】
次に、図４に示すように、ユーザ１０に構図参考画像を提示する（Ｓ１６）。この際、図８に示すように、ユーザ１０から入力された新規タイポグラフィの文字列を用いて、構図参考画像を提示する。図８は、本システムにおける操作画面の第３例であって、ユーザ１０が提示された構図参考画像の候補から、構図参考画像を選択する操作を行う画面である。
構図参考画像の選択においても、参考画像と同じように、ロゴデザインを説明する情報を用いて、データ記憶部１２０に記憶されたロゴデザインを検索することができる。
【００７０】
この例では、新規タイポグラフィの文字列として、「ＡＢＣＤＥ」という文字列が入力されている。そして、構図参考画像受付部１４３は、この文字列の文字数と一致する文字数のタイポグラフィを備えたロゴデザインを、データ記憶部１２０から検索して、構図参考画像の候補としてユーザ１０に提示している。
そして、図５に示すように、このように提示された構図参考画像の候補の中から、ユーザ１０が構図参考画像を選択する（Ｓ１７：構図参考画像受付ステップ）。この際、ユーザ１０が、構図参考画像を複数選択してもよい。
【００７１】
次に、タイポグラフィ作成部１４４が、新規タイポグラフィを作成する（Ｓ１８：タイポグラフィ作成ステップ）。この際、タイポグラフィ作成部１４４は、作成条件受付部１３１にユーザ１０から入力された作成条件を用いて、新規タイポグラフィを作成する。また、作成条件のうち、ユーザ１０から入力されていない属性については、構図参考画像として選択されたロゴデザインのタイポグラフィにおいて対応する属性を採用してもよい。
【００７２】
次に、ロゴデザイン配置部１４５が、リメイク参考画像と新規タイポグラフィを用いて、新規ロゴデザインを作成する（Ｓ１９：ロゴデザイン配置ステップ）。図９は、本システムにおける操作画面の第４例であり、新規ロゴデザインが作成され、表示された状態を示す画面である。
【００７３】
図９に示すように、ロゴデザイン配置部１４５は、構図参考画像におけるロゴ配置情報を用いて、リメイク参考画像に示されるシンボルマークの少なくとも一部と、タイポグラフィ作成部１４４が作成した新規タイポグラフィと、を配置する。なお、この図の例では、入力条件であるタイポグラフィの文字列として、「ＯＫ Ｓｕｒｖｅｙｉｎｇ」と入力している。
そして、構図参考画像におけるタイポグラフィとシンボルマークの位置関係や、構図参考画像に使用されているタイポグラフィの文字列、文字数、文字サイズ、文字種類、文字フォント、シンボルマークの大きさ等が、ロゴデザイン配置部１４５により参照されている。
【００７４】
次に、図５に示すように、ユーザ１０が、挿入する図柄パターンを選択する（Ｓ２０）。この図柄パターンは、図１０に示すように、データ記憶部１２０に記憶された図柄をユーザ１０に一覧表示することができる。
図１０は、本システムにおける操作画面の第５例であり、差し替え図柄を一覧表示し、ユーザ１０に選択させる操作を行う新規ロゴデザインが作成され、表示された状態を示す図である。
【００７５】
次に、形状差し替え部１４６が、新規ロゴデザインとして、先ほどロゴデザイン配置部１４５が作成した新たなロゴデザインに対して、差し替え図柄を用いて改変を行う。
この際、新たなロゴデザインに、選択された図柄パターンを挿入してもよいし、新たなロゴデザインの一部を、選択された図柄パターンと交換してもよい（Ｓ２１：形状差し替えステップ）。
【００７６】
これにより、新規ロゴデザインが完成する（Ｓ２２）。図１１は、本システムにおける操作画面の第６例であり、形状差し替え部１４６が、新規ロゴデザインを表示する画面である。
この例では、図９で選択された最上段右端のロゴデザインに対して、図１０で選択された最上段中央の差し替え図柄が採用され、新規ロゴデザインには、選択された図柄パターンＬが右上に追加配置されている。
【００７７】
以上説明したように、本実施形態に係るロゴデザイン作成システム１００によれば、リメイク参考画像選択部１４２が選択した複数のリメイク参考画像と、タイポグラフィ作成部１４４が作成したタイポグラフィと、を用いて、ロゴデザイン配置部１４５が、新規ロゴデザインを作成する。このため、公開されたロゴデザインから、容易に新規ロゴデザインを作成することができる。
【００７８】
また、リメイク参考画像選択部１４２が、新規ロゴデザインのシンボルマークの基礎となる参考画像に対して、類似度検索を行って、参考画像と類似するシンボルマークをリメイク参考画像として複数選択する。
このため、参考画像を選択した数量に対して、リメイク参考画像の数量を大幅に増やすことが可能になり、結果的に作成されるロゴの数を増えることとなる、このようにして、一度に大量のロゴデザインを作成することができる。
【００７９】
また、形状差し替え部１４６が、リメイク参考画像および新規ロゴデザインのうち、少なくともいずれか一方に対して、予め記憶された図柄パターンのうちのいずれかを用いて改変を行う。このため、予め記憶された図柄パターンを用いて、豊富なバリエーションのロゴデザインを作成することができる。
【００８０】
また、ロゴ配置情報抽出部１３３が、画像処理技術を用いて予めシンボルマークとタイポグラフィとが区別されたデータ群を教師データとした機械学習を行う。そして、ロゴ情報抽出部が、公開されたロゴデザインにおけるシンボルマークとタイポグラフィとを区別し、区別したシンボルマークとタイポグラフィとの位置関係を示すロゴ配置情報を抽出する。
これにより、シンボルマークとロゴデザインとの位置関係を含む情報を抽出することができる。
【００８１】
また、ロゴ配置情報抽出部１３３が、複数の公開されたロゴデザインから、当該ロゴデザインに使用されているタイポグラフィの文字数、文字種類、および文字フォントを抽出する。これにより、公開されたロゴデザインを構成する各種の情報を活用して、新規ロゴデザインを作成することができる。
【００８２】
また、構図参考画像受付部１４３が、複数の構図参考画像の入力をユーザ１０から受付ける。これにより、一つの構図参考画像の入力を受け付ける構成と比較して、構図参考画像を複数参照することで、豊富なバリエーションのロゴデザインを作成することができる。
【００８３】
また、構図参考画像受付部１４３は、ユーザ１０から入力された新規タイポグラフィの文字列を用いて、候補となる構図参考画像を、ユーザ１０に複数提示するので、これから作成するタイプグラフィに対して、シンボルマークの配置がバランスの良い構図参考画像をユーザ１０に提案することができる。これにより、数多くの構図参考画像の中から、新規タイポグラフィに適した構図参考画像を容易に選択することができる。
【００８４】
また、タイポグラフィ作成部１４４が、ロゴ配置情報抽出部１３３において抽出された文字フォントに対して類似するフォントを使用して、新規ロゴデザインを作成する。このため、配置バランスについて検討が既に済んでいる公開されたタイポグラフィのバランスを受け継ぐことが可能になり、容易に新規タイポグラフィのバランスを良くすることができる。
【００８５】
また、ロゴデザイン配置部１４５が、ロゴ配置情報抽出部１３３において抽出された文字数および文字種類を参照して、タイポグラフィの配置を調整する。このため、文字数や文字種類を、配置バランスについて過去に検討が済んでいる公開されたタイポグラフィと合わせることで、容易に新規タイポグラフィにおける文字数や文字種類のバランスを良くすることができる。
【００８６】
また、タイポグラフィ作成部１４４が、作成条件受付部１３１に入力された文字列色情報を用いて、新規タイポグラフィを作成し、ロゴデザイン配置部１４５が、作成条件受付部１３１に入力されたシンボルマーク色情報をリメイク参考画像に適用して、新規ロゴデザインを作成する。これにより、ユーザ１０が希望する文字列の色や、シンボルマークの色を採用することで、ユーザ１０が希望するロゴデザインを作成することができる。
【００８７】
なお、ロゴデザイン作成システム１００は、上記実施形態に限定されるものではなく、他の手法により実現されてもよいことは言うまでもない。以下、各種変形例について説明する。
例えば、上記実施形態の制御プログラムは、コンピュータに読み取り可能な記憶媒体に記憶された状態で提供されてもよい。記憶媒体は、「一時的でない有形の媒体」に、制御プログラムを記憶可能である。記憶媒体は、ＨＤＤやＳＤＤなどの任意の適切な記憶媒体、またはこれらの２つ以上の適切な組合せを含むことができる。記憶媒体は、揮発性、不揮発性、または揮発性と不揮発性の組合せでよい。なお、記憶媒体はこれらの例に限られず、制御プログラムを記憶可能であれば、どのようなデバイスまたは媒体であってもよい。
【００８８】
また、ロゴデザイン作成システム１００は、例えば、記憶媒体に記憶された制御プログラムを読み出し、読み出した制御プログラムを実行することによって、実施形態に示す各機能を実現することができる。
また、当該制御プログラムは、任意の伝送媒体（通信ネットワークや放送波等）を介して、ロゴデザイン作成システム１００に提供されてもよい。ロゴデザイン作成システム１００は、例えば、インターネット等を介してダウンロードした制御プログラムを実行することにより、各実施形態に示す複数の機能部の機能を実現する。
【００８９】
また、当該制御プログラムは、例えば、ＡｃｔｉｏｎＳｃｒｉｐｔ、ＪａｖａＳｃｒｉｐｔ(登録商標)などのスクリプト言語、Ｏｂｊｅｃｔｉｖｅ―Ｃ、Ｊａｖａ(登録商標)などのオブジェクト指向プログラミング言語、ＨＴＭＬ５などのマークアップ言語などを用いて実装してもよい。
【００９０】
ロゴデザイン作成システム１００における処理の少なくとも一部は、１以上のコンピュータにより構成されるクラウドコンピューティングにより実現されていてもよい。また、ロゴデザイン作成システム１００の各機能部は、上記実施形態に示した機能を実現する１または複数の回路によって実現されてもよく、１の回路により複数の機能部の機能が実現されることとしてもよい。
【００９１】
また、上記実施形態では、ロゴデザイン作成システム１００と操作端末とを別の装置とした例について説明したが、このような態様に限られない。ロゴデザイン作成システム１００の一部又は全ての機能を、操作端末が備えていてもよい。
【００９２】
また、本開示の実施形態を諸図面や実施例に基づき説明してきたが、当業者であれば本開示に基づき種々の変形や修正を行うことが容易であることに注意されたい。従って、これらの変形や修正は本開示の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、各実施形態に示す構成を適宜組み合わせることとしてもよい。
【符号の説明】
【００９３】
１００  ロゴデザイン作成システム
１２０  データ記憶部
１３０  データ取得部
１３１  作成条件受付部
１３２  特徴量抽出部
１３３  ロゴ配置情報抽出部
１４０  データ作成部
１４１  参考画像受付部
１４２  リメイク参考画像選択部
１４３  構図参考画像受付部
１４４  タイポグラフィ作成部
１４５  ロゴデザイン配置部
１４６  形状差し替え部
【要約】
複数のロゴデザインから、シンボルマークの特徴量を抽出する特徴量抽出部と、シンボルマークおよびタイポグラフィのロゴ配置情報を抽出するロゴ配置情報抽出部と、特徴量およびロゴ配置情報を、公開されたロゴデザインとともに記憶するデータ記憶部と、新規ロゴデザインのシンボルマークの基礎として採用されるシンボルマークを、参考画像として受付ける参考画像受付部と、参考画像と類似するリメイク参考画像を複数選択するリメイク参考画像選択部と、構図参考画像の入力を受付ける構図参考画像受付部と、新規タイポグラフィを作成するタイポグラフィ作成部と、複数のリメイク参考画像および新規タイポグラフィを結合して新規ロゴデザインを作成するロゴデザイン配置部と、を備えるロゴデザイン作成システム。【図１】
0006803597.tif 000002
【図２】
0006803597.tif 000003
【図３】
0006803597.tif 000004
【図４】
0006803597.tif 000005
【図５】
0006803597.tif 000006
【図６】
0006803597.tif 000007
【図７】
0006803597.tif 000008
【図８】
0006803597.tif 000009
【図９】
0006803597.tif 000010
【図１０】
0006803597.tif 000011
【図１１】
0006803597.tif 000012